(57)【要約】【課題】施工の最終段階での手戻り工数を削減でき且つ生産性の高い照明システムを提供する。【解決手段】自動点検監視システムは、通信機能を有する誘導灯と、誘導灯がサブ通信路Ｌ２を介して接続される制御装置１Ａ，１Ｂとを備え、これらの制御装置１Ａ，１Ｂは、誘導灯との間で通信および制御を行う制御ブロック５と、メイン通信路Ｌ１を介して接続される中央監視装置との間で通信および制御を行う制御ブロック４とが分離して設けられており、制御ブロック４，５間で内部通信路Ｌ３を介して通信する内部通信Ｉ／Ｆ４２，５２をそれぞれ制御ブロック４，５に設けている。【選択図】図１
2010231983.tif 000002
【特許請求の範囲】
【請求項１】
通信機能を有する照明器具と、当該照明器具が第１のネットワークを介して接続される制御装置とを備え、当該制御装置は、前記照明器具との間で通信および制御を行う第１の制御ブロックと、前記第１のネットワークと異なる第２のネットワークを介して接続される別の制御装置との間で通信および制御を行う第２の制御ブロックとが分離して設けられ、両制御ブロック間で内部通信路を介して通信する通信手段を前記第１および第２の制御ブロックにそれぞれ設けることを特徴とする照明システム。
【請求項２】
前記制御装置は、前記照明器具の前記第１のネットワークへの接続状態を点検する第１の点検機能と、前記別の制御装置の前記第２のネットワークへの接続状態を点検する第２の点検機能とを備えることを特徴とする請求項１記載の照明システム。
【請求項３】
前記制御装置は、当該制御装置が前記第２のネットワークに接続されていない状態では前記第２の点検機能による点検動作が完了したとして前記第１の点検機能による点検動作を行い、当該制御装置が前記第１のネットワークに接続されていない状態では前記第１の点検機能による点検動作が完了したとして前記第２の点検機能による点検動作を行うことを特徴とする請求項２記載の照明システム。
【請求項４】
前記制御装置は、前記第１または第２の点検機能の何れか一方による点検動作を行った後の点検時には、両点検機能による点検動作を行うことを特徴とする請求項２または３の何れか１項に記載の照明システム。
【発明の詳細な説明】
【技術分野】
【０００１】
本発明は、照明システムに関するものである。
【背景技術】
【０００２】
従来より、通信機能を備えた複数の防災照明端末（例えば誘導灯など）と、各防災照明端末の状態を監視したり、各防災照明端末に対して点検命令を送信したりする制御装置とをネットワークを介して接続し、各防災照明端末の情報を個別に監視可能な防災照明用監視システム（以下、下位システムと称す。）が提供されている（例えば特許文献１参照）。この下位システムでは、各防災照明端末にそれぞれ固有のアドレスが設定されており、制御装置はこのアドレスによって各防災照明端末を個別に管理している。
【０００３】
また、上述のような下位システムが複数組接続され、これらの下位システムを一括して管理する上位システムも提供されている。この上位システムでは、各下位システムの制御装置が別のネットワークを介して中央監視装置に接続されており、各制御装置では、例えば中央監視装置からの点検命令を受けて自己に割り当てられた各防災照明端末に対して点検命令を送信したり、また各防災照明端末からの点検結果を一括して中央監視装置に送信したりできるようになっている。
【先行技術文献】
【特許文献】
【０００４】
【特許文献１】特開２００５−３２１１５号公報（段落［００１０］−段落［００１８］、及び、図１−図３）
【発明の概要】
【発明が解決しようとする課題】
【０００５】
上述のような大規模システムでは、システム全体を一連の施工作業で構築するのは稀であり、通常は上位システムと下位システムとでシステム構築の時期や施工業者が異なる場合が多い。そしてこの場合、システム全体を通しての動作確認は施工の最終段階でしか行えないため、不具合が生じた場合には膨大な手戻り工数がかかることがあった。また、上位システムについては様々な通信方式が採用されるため、下位システム側の制御装置を上位システムの通信方式に合わせて設計する必要があり、結果的に生産性の低いものであった。
【０００６】
本発明は上記問題点に鑑みて為されたものであり、その目的とするところは、施工の最終段階での手戻り工数を削減でき且つ生産性の高い照明システムを提供することにある。
【課題を解決するための手段】
【０００７】
請求項１の発明は、通信機能を有する照明器具と、当該照明器具が第１のネットワークを介して接続される制御装置とを備え、当該制御装置は、照明器具との間で通信および制御を行う第１の制御ブロックと、第１のネットワークと異なる第２のネットワークを介して接続される別の制御装置との間で通信および制御を行う第２の制御ブロックとが分離して設けられ、両制御ブロック間で内部通信路を介して通信する通信手段を第１および第２の制御ブロックにそれぞれ設けることを特徴とする。
【０００８】
請求項２の発明は、制御装置は、照明器具の第１のネットワークへの接続状態を点検する第１の点検機能と、別の制御装置の第２のネットワークへの接続状態を点検する第２の点検機能とを備えることを特徴とする。
【０００９】
請求項３の発明は、制御装置は、当該制御装置が第２のネットワークに接続されていない状態では第２の点検機能による点検動作が完了したとして第１の点検機能による点検動作を行い、当該制御装置が第１のネットワークに接続されていない状態では第１の点検機能による点検動作が完了したとして第２の点検機能による点検動作を行うことを特徴とする。
【００１０】
請求項４の発明は、制御装置は、第１または第２の点検機能の何れか一方による点検動作を行った後の点検時には、両点検機能による点検動作を行うことを特徴とする。
【発明の効果】
【００１１】
請求項１の発明によれば、従来例のような大規模システムにおいて上位システム、下位システムそれぞれで動作確認が行なえるようになっており、施工の途中段階で各システム業者がそれぞれ自己の責任区分に対して動作確認できるので、施工の最終段階での手戻り工数を大幅に削減することができる。また、上位システムの通信方式の変更に対して第２の制御ブロックのみを交換すればいいので、第２の制御ブロックを除く他の部分については同じものを使用することができ、その結果生産性が高く且つシステム変更時の施工費用の削減が図れる照明システムを提供することができるという効果がある。
【００１２】
請求項２の発明によれば、照明器具の第１のネットワークへの接続状態と、別の制御装置の第２のネットワークへの接続状態を別々に確認することができるので、請求項１と同様に施工の途中段階で各システムの動作確認を行うことができ、施工の最終段階での手戻り工数を大幅に削減することができるという効果がある。
【００１３】
請求項３の発明によれば、請求項１と同様に施工の途中段階で各システムの動作確認が行えるので、施工の最終段階での手戻り工数を大幅に削減することができるという効果がある。
【００１４】
請求項４の発明によれば、システム全体で動作確認する際に、照明器具の第１のネットワークへの接続状態と、別の制御装置の第２のネットワークへの接続状態を１度の操作で確認することができるので、操作性のよい照明システムを実現できるという効果がある。
【図面の簡単な説明】
【００１５】
【図１】（ａ）は本実施形態の自動点検監視システムに用いられる制御装置の概略ブロック図、（ｂ）（ｃ）は同上に用いられる制御装置を構成する各制御ブロックの概略ブロック図である。
【図２】同上が用いられる集中監視システムの概略システム図である。
【図３】（ａ）は同上に中央監視装置が接続されていない場合の点検動作フロー、（ｂ）は同上に誘導灯が接続されていない場合の点検動作フローである。
【図４】同上に用いられる制御装置の他の構成例である。
【発明を実施するための形態】
【００１６】
本発明に係る照明システムの実施形態について図１〜図４を参照しながら説明する。本発明に係る照明システムは、例えば誘導灯などの防災用照明器具を監視し定期的に点検する自動点検監視システムであり、以下の説明では照明器具として誘導灯を用いた場合について説明する。
【００１７】
図２は本実施形態の自動点検監視システムを用いた集中監視システムの概略システム図であり、本自動点検監視システムの制御装置１Ａ，１Ｂがメイン通信路（第２のネットワーク）Ｌ１を介して上位システムを構成する中央監視装置（別の制御装置）３に接続されており、各制御装置１Ａ，１Ｂと中央監視装置３との間で相互通信可能になっている。
【００１８】
本実施形態の自動点検監視システムは、図２に示すように通信機能を有する誘導灯２Ａ〜２Ｎと、これらの誘導灯２Ａ〜２Ｎがサブ通信路（第１のネットワーク）Ｌ２を介して接続される制御装置１Ａ，１Ｂとを備えており、各制御装置１Ａ，１Ｂと誘導灯２Ａ〜２Ｎの間で相互通信可能になっている。なお、本実施形態では、誘導灯２Ａ〜２Ｇが制御装置１Ａに接続され、また誘導灯２Ｈ〜２Ｎが制御装置１Ｂに接続されている。ここに、本実施形態では上記の自動点検監視システムにより下位システムが構成されており、また中央監視装置３を含むシステムにより上位システムが構成されている。
【００１９】
制御装置１Ａ，１Ｂは、図１（ａ）に示すようにサブ通信路Ｌ２を介して接続される誘導灯２Ａ〜２Ｇ（または誘導灯２Ｈ〜２Ｎ）との間で通信および制御を行う制御ブロック（第１の制御ブロック）５と、メイン通信路Ｌ１を介して接続される中央監視装置３との間で通信および制御を行う制御ブロック（第２の制御ブロック）４とが分離して設けられており、両制御ブロック４，５間は内部通信路Ｌ３を介して接続されている。
【００２０】
図１（ｂ）は第２の制御ブロックである制御ブロック４の概略ブロック図であり、例えばマイクロコンピュータを主な構成要素とし全般的な制御を行う制御部４０と、中央監視装置３との間でメイン通信路Ｌ１を介して通信を行うメイン通信Ｉ／Ｆ４１と、制御ブロック５との間で内部通信路Ｌ３を介して通信を行う内部通信Ｉ／Ｆ（通信手段）４２と、特定の命令（例えば、後述する擬似点検命令や点検命令など）や点検結果などを記憶させる記憶部４３とを備えている。
【００２１】
制御部４０は、メイン通信路Ｌ１と内部通信路Ｌ３を介して情報をやりとりするゲートウェイの役割を担う部分であり、例えば記憶部４３に予め記憶させた上記の命令を適宜読み出してメイン通信路Ｌ１あるいは内部通信路Ｌ３に送出したり、内部通信路Ｌ３を介して制御ブロック５から送信される誘導灯２Ａ〜２Ｇ（または誘導灯２Ｈ〜２Ｎ）の点検結果を記憶部４３に記憶させる機能を有している。
【００２２】
メイン通信Ｉ／Ｆ４１は、上位システムを構成する中央監視装置３との間の通信を担う部分であり、中央監視装置３との間で情報を交換するためのトランシーバの役割を担っている。例えば本実施形態では、中央監視装置３との間にイーサネット（登録商標）に準拠した通信網を構築しており、メイン通信Ｉ／Ｆ４１はこの通信網のトランシーバに相当するものである。そして、メイン通信Ｉ／Ｆ４１は、中央監視装置３がサポートする通信プロトコル（例えばＴＣＰ／ＩＰプロトコルなど）を上記の制御部４０が判断可能な情報に変換する機能を有している。
【００２３】
内部通信Ｉ／Ｆ４２は、制御ブロック５との間の通信を担う部分であり、制御ブロック５との間で情報を交換するためのトランシーバの役割を担っている。一般的に内部の通信網では様々な通信形式が使用されるが、例えば本実施形態ではＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いたシリアル通信を採用している。
【００２４】
記憶部４３は、上述したように特定の命令や点検結果などが記憶されており、制御部４０が記憶部４３にアクセスすることによって上記の命令や点検結果などが読み出される。ここに、記憶部４３としては、ＥＥＰＲＯＭやフラッシュメモリなどの不揮発性メモリが好適に用いられる。
【００２５】
次に、図１（ｃ）は第１の制御ブロックである制御ブロック５の概略ブロック図であり、例えばマイクロコンピュータを主な構成要素とし全般的な制御を行う制御部５０と、各誘導灯２Ａ〜２Ｇ（または誘導灯２Ｈ〜２Ｎ）との間でサブ通信路Ｌ２を介して通信を行うサブ通信Ｉ／Ｆ５１と、制御ブロック４との間で内部通信路Ｌ３を介して通信を行う内部通信Ｉ／Ｆ（通信手段）５２と、特定の命令（例えば、後述する施工確認命令や点検命令など）や点検結果などを記憶させる記憶部５３と、例えば複数の押ボタンスイッチ（図示せず）からなる操作部５４と、点検結果などを表示する表示部５５とを備えている。
【００２６】
制御部５０は、サブ通信路Ｌ２と内部通信路Ｌ３を介して情報をやりとりするゲートウェイの役割を担う部分であり、例えば記憶部５３に予め記憶させた上記の命令を適宜読み出してサブ通信路Ｌ２あるいは内部通信路Ｌ３に送出したり、サブ通信路Ｌ２を介して誘導灯２Ａ〜２Ｇ（または誘導灯２Ｈ〜２Ｎ）から送信される点検結果を記憶部５３に記憶させる機能を有している。
【００２７】
サブ通信Ｉ／Ｆ５１は、誘導灯２Ａ〜２Ｇ（または誘導灯２Ｈ〜２Ｎ）との間の通信を担う部分であり、誘導灯２Ａ〜２Ｇ（または誘導灯２Ｈ〜２Ｎ）との間で情報を交換するためのトランシーバの役割を担っている。例えば本実施形態では、誘導灯２Ａ〜２Ｇ（または誘導灯２Ｈ〜２Ｎ）との間にＲＳ２３２ＣやＲＳ４８５に代表されるシリアル通信網を構築しており、サブ通信Ｉ／Ｆ５１はこの通信網のトランシーバに相当するものである。そして、サブ通信Ｉ／Ｆ５１は、誘導灯２Ａ〜２Ｇ（または誘導灯２Ｈ〜２Ｎ）がサポートする通信プロトコルを上記の制御部５０が判断可能な情報に変換する機能を有している。
【００２８】
内部通信Ｉ／Ｆ５２は、制御ブロック４との間の通信を担う部分であり、上述した内部通信Ｉ／Ｆ４２と同様であるから、ここでは説明を省略する。また、記憶部５３には上述した特定の命令や点検結果が記憶されるとともに、各誘導灯２Ａ〜２Ｇ（または誘導灯２Ｈ〜２Ｎ）のアドレス情報も記憶されるようになっており、それ以外の構成は上述した記憶部４３と同様であるから、ここでは説明を省略する。
【００２９】
操作部５４は、施工時において動作確認を行う動作確認機能や、自己に割り当てられた誘導灯２Ａ〜２Ｇ（または誘導灯２Ｈ〜２Ｎ）にアドレスを設定するアドレス設定機能や、誘導灯２Ａ〜２Ｇ（または誘導灯２Ｈ〜２Ｎ）の点検を行う点検機能などを有している。
【００３０】
表示部５５は、上述したように点検結果などを表示するものであり、例えばＬＥＤ（発光ダイオード）や７セグメントＬＥＤ、液晶パネルなどが好適に用いられる。
【００３１】
ここにおいて、上述のような大規模システムでは、一連の施工作業の中でシステム全体を構築するのは稀であり、通常は上位システムと下位システムとが別々に構築されることになるが、従来のものではシステム全体を通しての動作確認が両システムの構築後でないとできないため、場合によっては膨大な手戻り工数が発生することがあった。そこで、本実施形態の自動点検監視システムでは、施工の最終段階における手戻り工数を削減するために、施工の途中段階でも各システム単位で動作確認できるようになっている。以下に、その動作について図３を参照しながら説明する。
【００３２】
図３（ａ）は、施工の途中段階で中央監視装置３が接続されていない状態（つまり下位システムの施工のみが完了した状態）の点検動作フローである。まず、制御ブロック５の操作部５４により所定の操作を行うと、制御部５０は内部通信Ｉ／Ｆ５２を介して制御ブロック４に施工確認命令を送信する。施工確認命令を受け取った制御ブロック４では、制御部４０の動作モードが、擬似点検命令（本来であれば中央監視装置３から送信される点検命令に相当する命令）により点検動作を行う施工確認モードＡに切り替えられ、制御部４０は内部通信Ｉ／Ｆ４２を介して制御ブロック５に擬似点検命令を送信する。
【００３３】
その後、擬似点検命令を受け取った制御ブロック５では、制御部５０がサブ通信Ｉ／Ｆ５１を介して誘導灯２Ａ〜２Ｇ（または誘導灯２Ｈ〜２Ｎ）に点検命令を送信し、誘導灯２Ａ〜２Ｇ（または誘導灯２Ｈ〜２Ｎ）では、この点検命令に含まれるアドレスが自己に設定されたアドレスと一致する場合には予め設定された点検を実施し、さらにその点検結果をサブ通信路Ｌ２を介して制御ブロック５に送信する。そして、点検結果を受け取った制御ブロック５では、制御部５０が点検結果を記憶部５３に記憶させるとともに内部通信Ｉ／Ｆ５２を介して制御ブロック４に送信し、制御ブロック４では制御部４０が点検結果を記憶部４３に記憶させる。
【００３４】
また、制御ブロック４では、制御部４０が自己に割り当てられた誘導灯２Ａ〜２Ｇ（または誘導灯２Ｈ〜２Ｎ）すべての点検が完了したか否かをチェックしており、すべての点検が完了した時点で施工確認モードＡを終了させるとともに、内部通信Ｉ／Ｆ４２を介して制御ブロック５に点検完了通知を送信する。そして、この点検完了通知を受け取った制御ブロック５では、制御部５０により点検完了を知らせる表示（例えばＬＥＤを点灯させるなど）を表示部５５に表示させ、施工業者などに点検が完了したことを知らせる。ここに、上記の施工確認モードＡにより第１の点検機能が構成されている。
【００３５】
続けて、図３（ｂ）は、施工の途中段階で誘導灯２Ａ〜２Ｇ（または誘導灯２Ｈ〜２Ｎ）が接続されていない状態（つまり上位システムの施工のみが完了した状態）の点検動作フローである。まず、制御ブロック５の操作部５４により所定の操作を行うと、制御部５０の動作モードが、擬似的に点検結果を返信する施工確認モードＢに切り替えられる。その後、中央監視装置３からメイン通信路Ｌ１を介して制御ブロック４に点検命令が送信されると、制御部４０は内部通信Ｉ／Ｆ４２を介して制御ブロック５に点検命令を送信する。制御ブロック５では、上記の点検命令を受け取ると、制御部５０があたかも誘導灯２Ａ〜２Ｇ（または誘導灯２Ｈ〜２Ｎ）に対して点検を行ったかのように点検結果を作成し、作成した点検結果を内部通信Ｉ／Ｆ５２を介して制御ブロック４に送信する。そして、制御ブロック４では、制御部４０が受け取った点検結果を記憶部４３に記憶させるとともに、メイン通信Ｉ／Ｆ４１を介して中央監視装置３に点検結果を送信し、中央監視装置３では受け取った点検結果を図示しない記憶部に記憶させる。
【００３６】
また、中央監視装置３では、対象となる誘導灯２Ａ〜２Ｇ（または誘導灯２Ｈ〜２Ｎ）すべての点検が完了したか否かをチェックしており、すべての点検が完了した時点で点検完了通知を作成し、メイン通信路Ｌ１を介して制御ブロック４に送信する。点検完了通知を受け取った制御ブロック４では、制御部４０が内部通信Ｉ／Ｆ４２を介して制御ブロック５に点検完了通知を送信し、点検完了通知を受け取った制御ブロック５では、制御部５０が施工確認モードＢを終了させるとともに、点検完了を知らせる表示（例えばＬＥＤを点灯させるなど）を表示部５５に表示させ、施工業者などに点検が完了したことを知らせる。ここに、上記の施工確認モードＢにより第２の点検機能が構成されている。
【００３７】
すなわち、本実施形態の自動点検監視システムでは、上位システム（中央監視装置３）が接続されていない状態では第２の点検機能による点検動作は完了したものとして第１の点検機能による点検動作を実施し（施工確認モードＡ）、下位システム（誘導灯２Ａ〜２Ｇまたは誘導灯２Ｈ〜２Ｎ）が接続されていない状態では第１の点検機能による点検動作は完了したものとして第２の点検機能による点検動作を実施する（施工確認モードＢ）のである。
【００３８】
ところで、本実施形態の自動点検監視システムでは、上述した施工確認モードＡまたはＢの何れか一方による点検動作を実施した後の点検時には、誘導灯２Ａ〜２Ｇ（または誘導灯２Ｈ〜２Ｎ）のサブ通信路Ｌ２への接続状態と、中央監視装置３のメイン通信路Ｌ１への接続状態の両方を点検するようになっている。すなわち、下位または上位システム単独で点検を行った後、施工の最終段階においてシステム全体で動作確認する際に、誘導灯２Ａ〜２Ｇ（または誘導灯２Ｈ〜２Ｎ）のサブ通信路Ｌ２への接続状態と、中央監視装置３のメイン通信路Ｌ１への接続状態を１度の操作で確認することができ、したがって操作性のよい自動点検監視システムを実現できるのである。
【００３９】
ここで、上位システムについては様々な通信形式が採用されるため、従来の大規模システムでは下位システム側の制御装置を上位システムの通信方式に合わせて設計する必要があり、また上位システムを変更する場合には下位システム全体を交換することになる。そこで、本実施形態では、制御装置１Ａ，１Ｂの制御ブロックを上位システムに対応させた制御ブロック４と、下位システムに対応させた制御ブロック５とに分割して設けており、上位システムの通信方式に合わせたり、上位システムを交換する際には制御ブロック４のみを交換することで対応できるようになっている。したがって、上述したイーサネット（登録商標）を、例えばＢＡＣ（Ｂｒｏａｄｂａｎｎｄ  Ａｃｃｅｓｓ  Ｃｅｎｔｅｒ）ネットワークやＬＯＮ（Ｌｏｃａｌ  Ｏｐｅｒａｔｉｇ  Ｎｅｔｗｏｒｋ）やＲＳ４８５ネットワークに変更する場合には、図４に示すように制御ブロック４をそれぞれのネットワークに対応する制御ブロック６〜８に交換するだけでよく、システム対応が容易になる。
【００４０】
而して、本実施形態によれば、従来例のような大規模システムにおいて上位システム（中央監視装置３を含むシステム）、下位システム（本実施形態の自動点検監視システム）それぞれで動作確認が行なえるようになっており、施工の途中段階で各システム業者がそれぞれ自己の責任区分に対して動作確認できるので、施工の最終段階での手戻り工数を大幅に削減することができる。また、上位システムの通信方式の変更に対して制御ブロック４のみを交換すればいいので、制御ブロック４を除く他の部分については同じものを使用することができ、その結果生産性が高く且つシステム変更時の施工費用の削減が図れる自動点検監視システムを提供することができる。
【００４１】
なお、本実施形態では、照明器具として誘導灯を用いた場合について説明したが、照明器具は本実施形態に限定されるものではなく、例えば非常用照明器具や一般用照明器具などであってもよい。また、照明システムについても本実施形態の自動点検監視システムに限定されるものではなく、上位システムと下位システムで別々に動作確認できるようになっていれば他のシステムであってもよい。さらに、本実施形態の各装置間のネットワークについても一例であって、本実施形態のものに限定されない。
【符号の説明】
【００４２】
１Ａ，１Ｂ  制御装置
２Ａ〜２Ｎ  誘導灯（照明器具）
３  中央監視装置（別の制御装置）
４  制御ブロック（第２の制御ブロック）
５  制御ブロック（第１の制御ブロック）
４２，５２  内部通信Ｉ／Ｆ（通信手段）
Ｌ１  メイン通信路（第２のネットワーク）
Ｌ２  サブ通信路（第１のネットワーク）
Ｌ３  内部通信路
【図１】
2010231983.tif 000003
【図２】
2010231983.tif 000004
【図３】
2010231983.tif 000005
【図４】
2010231983.tif 000006